(57)【要約】【課題】動画像データに基づき自然に揺らぎのある画像を表示する。【解決手段】動画像データを再生して出力する再生装置であって、動画像データにおける一部の区間を繰返し区間として指定する指定部と、動画像データの所定の繰返し区間を順方向および逆方向に交互に繰り返して再生する再生部と、繰返し区間を再生することにより表示される各オブジェクトのうち、非可逆的な動作をするオブジェクトを除く除去部と、繰返し区間の端部の再生速度を中間部の再生速度よりも遅くする速度調整部とを備える再生装置を提供する。【選択図】図１
2011087019.tif 000002
【特許請求の範囲】
【請求項１】
動画像データを再生して出力する再生装置であって、
動画像データの所定の繰返し区間を順方向および逆方向に交互に繰り返して再生する再生部
を備える再生装置。
【請求項２】
前記再生部は、観視者の左眼に与えられる左眼用画像および前記観視者の右眼に与えられる右眼用画像であって、予め定められたシフト量分２次元画像を左右にシフトすることにより生成された前記左眼用画像および前記右眼用画像が連続する立体視用の動画像データを再生する
請求項１に記載の再生装置。
【請求項３】
前記動画像データにおける一部の区間を前記繰返し区間として指定する指定部を更に備え、
前記再生部は、前記繰返し区間を順方向および逆方向に交互に連続して再生する
請求項１または２に記載の再生装置。
【請求項４】
前記指定部は、前記動画像データにおける１秒以上２秒以下の再生時間の区間を、前記繰返し区間として指定する
請求項３に記載の再生装置。
【請求項５】
前記指定部は、前記動画像データを再生することにより表示される各オブジェクトの動作周期を検出して、検出した動作周期に基づき前記繰返し区間を指定する
請求項３から４の何れかに記載の再生装置。
【請求項６】
前記指定部は、非可逆的な動作をするオブジェクトが表示されない区間を、前記繰返し区間として指定する
請求項３から５の何れかに記載の再生装置。
【請求項７】
前記指定部は、表示されるそれぞれのオブジェクトの位置のばらつきが基準範囲内の区間を、前記繰返し区間として指定する
請求項６に記載の再生装置。
【請求項８】
前記繰返し区間を再生することにより表示される各オブジェクトのうち、非可逆的な動作をするオブジェクトを除く除去部を更に備え、
前記再生部は、前記除去部により非可逆的な動作をするオブジェクトが除かれた繰返し区間を再生する
請求項１から５の何れかに記載の再生装置。
【請求項９】
前記再生部による再生速度を調整する速度調整部を更に備える
請求項１から８の何れかに記載の再生装置。
【請求項１０】
前記速度調整部は、前記繰返し区間の端部の再生速度を中間部の再生速度よりも遅くする
請求項９に記載の再生装置。
【請求項１１】
動画像データの所定の繰返し区間を順方向および逆方向に交互に繰り返して再生し、
再生した動画像を出力する
を備える再生方法。
【請求項１２】
請求項１から９の何れかの再生装置としてコンピュータを機能させるプログラム。
【発明の詳細な説明】
【技術分野】
【０００１】
本発明は、再生装置、再生方法およびプログラムに関する。
【背景技術】
【０００２】
デジタルフォトフレームと呼ばれる小型および薄型の表示装置が知られている。この表示装置は、コンピュータを用いずに電子写真を再生して表示する。従って、この表示装置は、例えば写真立てまたは額縁等の代わりに、テーブル上に置いたり、壁に掛けたりして用いられる。また、特許文献１には、このような表示装置に静止画像を表示する場合に、静止画像に揺らぎを与えて自然な表示をする方法が記載されている。
【先行技術文献】
【特許文献】
【０００３】
【特許文献１】特開２００７−５３６６０号公報
【発明の概要】
【発明が解決しようとする課題】
【０００４】
ところで、このような表示装置は、動画像データを表示することもできる。そこで、表示装置は、揺らぎを与えた静止画像のような自然な表示を、動画像データを用いて提供できることが好ましい。
【０００５】
また、このような表示装置は、同一の動画像データを繰り返して表示する場合がある。しかし、同一の動画像データを繰り返し再生した場合、動画像データの末端から先頭へと画像が切り替わる部分において表示が不自然になってしまっていた。
【課題を解決するための手段】
【０００６】
上記課題を解決するために、本発明の第１の態様においては、動画像データを再生して出力する再生装置であって、動画像データの所定の繰返し区間を順方向および逆方向に交互に繰り返して再生する再生部を備える再生装置、再生方法およびプログラムを提供する。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】本実施形態に係る再生表示装置１０の構成を示す。
【図２】本実施形態に係る再生表示装置１０により再生される繰返し区間の一例を示す。
【図３】本実施形態に係る再生部３６の構成の一例を示す。
【図４】本実施形態に係る再生部３６により生成される右眼用画像および左眼用画像の一例を示す。
【図５】本実施形態に係るコンピュータ１９００のハードウェア構成の一例を示す。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、本実施形態に係る再生表示装置１０の構成を示す。再生表示装置１０は、一例として、デジタルフォトフレームまたは電子写真立てと呼ばれる、画像データの再生機能および表示機能を備える装置である。
【００１１】
再生表示装置１０は、再生装置２０と、表示装置３０とを備える。再生装置２０は、動画像データを再生して出力する。表示装置３０は、再生装置２０により再生された動画像データを表示する。表示装置３０は、一例として、テーブル上に載置したり、壁に掛けたりすることが可能なフラットディスプレイであってよい。また、再生装置２０および表示装置３０は、一体的に設けられてもよい。
【００１２】
再生装置２０は、記憶部３２と、指定部３４と、再生部３６と、速度調整部３８と、除去部４０とを有する。記憶部３２は、動画像データを記憶する。記憶部３２は、一例として、カード型等の小型の記憶装置である。
【００１３】
指定部３４は、動画像データにおける一部の区間を繰返し区間として指定する。再生部３６は、指定部３４により指定された動画像データの所定の繰返し区間を、順方向および逆方向に交互に繰り返して再生する。
【００１４】
速度調整部３８は、再生部３６による再生速度を調整する。除去部４０は、繰返し区間を再生することにより表示される各オブジェクトのうち、非可逆的な動作をするオブジェクトを除いて再生部３６に再生させる。以上のような再生表示装置１０は、比較的に短い動画像データを、途切れ無く自然に連続して表示することができる。
【００１５】
図２は、本実施形態に係る再生表示装置１０により再生される繰返し区間の一例を示す。指定部３４は、一例として、動画像データにおける１秒以上２秒以下の再生時間の区間を、繰返し区間として指定する。そして、再生部３６は、このような繰返し区間を順方向および逆方向に連続して再生する。これにより、再生表示装置１０は、動画像データから、例えば現実に風景を見ているような、自然に揺らぎのある静止画的な画像を表示することができる。
【００１６】
また、指定部３４は、一例として、非可逆的な動作をするオブジェクトが表示されない区間を、繰返し区間として指定する。非可逆的な動作をするオブジェクトとは、例えば、上から下へ落下するオブジェクト、一方向へ移動中の人および自動車等のオブジェクトである。指定部３４は、一例として、画像フレーム内に含まれるオブジェクトの動きを検出して、一方に動くオブジェクトを非可逆的な動作をするオブジェクトとして検出する。これにより、再生表示装置１０は、逆方向に再生されることにより不自然となるオブジェクトを含まない繰返し区間を順方向および逆方向に繰返して再生して、違和感の無い自然な画像を表示することができる。
【００１７】
また、指定部３４は、一例として、表示されるそれぞれのオブジェクトの位置のばらつきが基準範囲内の区間を、繰返し区間として指定してもよい。これにより、再生表示装置１０は、繰返し区間内において所定の距離以上移動するオブジェクトを含まない区間を、再生することができる。従って、再生表示装置１０は、樹木が揺らめいている風景のような、逆方向に再生しても違和感の無い自然な画像を表示することができる。
【００１８】
また、指定部３４は、一例として、動画像データを再生することにより表示される各オブジェクトの動作周期を検出して、検出した動作周期に基づき繰返し区間を指定してもよい。これにより、再生表示装置１０は、一定周期で揺らぎのあるオブジェクトが含まれている場合、その揺らぎの周期に同期した区間を、順方向および逆方向に再生することができる。これにより、再生表示装置１０は、現実の揺らぎと同一周期で揺らぐオブジェクトを表示することができる。
【００１９】
また、非可逆的に動作するオブジェクトが含まれた繰返し区間が指定部３４により指定された場合に、除去部４０は、繰返し区間を再生することにより表示される各オブジェクトのうち、非可逆的な動作をするオブジェクトを除く。除去部４０は、一例として、オブジェクトの表示領域を背景画像に置き換える等の画像処理を行うことにより、オブジェクトを除く。そして、再生部３６は、除去部４０により非可逆的な動作をするオブジェクトが除かれた繰返し区間を再生する。これにより、再生表示装置１０は、逆方向に再生されることにより不自然となるオブジェクトを除いて、違和感の無い自然な画像を表示することができる。
【００２０】
また、速度調整部３８は、繰返し区間の端部の再生速度を中間部の再生速度よりも遅くする。これにより、速度調整部３８は、繰返し区間の折返し部分において、含まれるオブジェクトを滑らかに移動させることができる。従って、このような再生表示装置１０は、より自然な画像を表示することができる。
【００２１】
図３は、本実施形態に係る再生部３６の構成の一例を示す。表示装置３０は、一例として、観視者に立体像を提供する立体視用モニタであってもよい。例えば、表示装置３０は、レンチキュラーまたはパララックスバリア等を用いた裸眼立体視を実現できるモニタであってよい。
【００２２】
表示装置３０が立体視用モニタである場合、再生部３６は、観視者の左眼に与える左眼用画像および観視者の右眼に与える右眼用画像を含んだ動画像データを表示装置３０に与える。これにより、表示装置３０は、観視者に立体像を提供することができる。
【００２３】
ここで、再生部３６は、観視者の左眼に与えられる左眼用画像および観視者の右眼に与えられる右眼用画像であって、予め定められたシフト量分２次元画像を左右にシフトすることにより生成された左眼用画像および右眼用画像が連続する立体視用の動画像データを再生する構成であってよい。これにより、再生部３６は、立体視用に生成されていない２次元画像の動画像データから、簡易的に立体像を提供するための左眼用画像および右眼用画像を生成することができる。
【００２４】
再生部３６は、一例として、読出部４２と、生成部４４とを含む。読出部４２は、２次元画像が連続する動画像データにおける指定された繰返し区間を記憶部３２から読み出す。生成部４４は、読み出した動画像データに含まれる２次元画像のそれぞれを、予め定められたシフト量分左右にシフトすることにより左眼用画像および右眼用画像を生成する。そして、生成部４４は、生成した左眼用画像および右眼用画像を含む動画像データ列を、表示装置３０へと送信する。
【００２５】
図４は、本実施形態に係る生成部４４により生成される右眼用画像および左眼用画像の一例を示す。生成部４４は、共通の２次元画像を右側に水平にシフトして右眼用画像を生成し、共通の２次元画像を左側に水平にシフトして左眼用画像を生成する。この場合において、生成部４４は、左眼用画像および右眼用画像の水平方向における相対位置の差を、観視者の瞳孔間距離Ｌ以下とする。例えば、生成部４４は、共通の画像を左にＬ／２シフトした画像を左眼用画像とし、共通の画像を右にＬ／２シフトした画像を右眼用画像とする。
【００２６】
ここで、瞳孔間距離Ｌは、観視者の瞳間の距離（４０ｍｍから９０ｍｍ）である。瞳孔間距離Ｌだけ離した位置に左眼用画像および右眼用画像を表示すると、観視者は、左眼で見た左眼用画像の表示物と右眼で見た右眼用画像の表示物とを融合して一つの像として認識することができ、且つ、融合した像を無限遠に認識することができる。従って、生成部４４は、右眼用画像と左眼用画像との相対位置の差を瞳孔間距離Ｌ以下とすることにより、観視者に立体像を提示することができる。
【００２７】
また、共通の画像を左右にずらして右眼用画像および左眼用画像を生成した場合、右眼用画像の左端に空白部分が生じる。同様に、左眼用画像の右端にも空白部分が生じる。これらの領域は、右眼または左眼の一方のみにしか画像を与えることができないので、観視者に自然な立体感を与える上で障害となることがある。
【００２８】
そこで、生成部４４は、一例として、右眼用画像の左端の空白部分に左端画像を付加し、左眼用画像の右端の空白部分に右端画像を付加してもよい。生成部４４は、一例として、右眼用画像の右端領域の画像をコピーして右端画像を生成し、左眼用画像の左端領域の画像をコピーして左端画像を生成する。また、この場合において、生成部４４は、右端画像および左端画像をぼかしてもよい。これにより、生成部４４は、端部部分において右眼および左眼に同一の画像を提示して、端部における不自然さを軽減することができる。
【００２９】
また、生成部４４は、一例として、右眼用画像の表示領域の左端から所定範囲を左側に拡大して左端画像を生成し、左眼用画像の表示領域の右端から所定範囲の画像を右側に拡大して右端画像を生成する。これにより、生成部４４は、端部部分において画像が連続した自然な立体像を観視者に提示することができる。
【００３０】
また、生成部４４は、一例として、右眼用画像および左眼用画像のそれぞれにおける右端部分および左端部分に、黒等の枠画像を表示してもよい。これにより、生成部４４は、左端および右端における立体感を与えない領域を無くして、枠内の全ての領域で立体感を与えることができる。さらに、このような枠画像を表示することにより、枠（窓枠および虫眼鏡の枠等）を通して物体を見るような感覚を観視者に与えることができるので、自然な立体感を観視者に提供することができる。
【００３１】
図５は、本実施形態に係るコンピュータ１９００のハードウェア構成の一例を示す。本実施形態では、再生表示装置１０をコンピュータ１９００により実現してもよい。
【００３２】
本実施形態に係るコンピュータ１９００は、ホスト・コントローラ２０８２により相互に接続されるＣＰＵ２０００、ＲＡＭ２０２０、グラフィック・コントローラ２０７５、及び表示装置２０８０を有するＣＰＵ周辺部と、入出力コントローラ２０８４によりホスト・コントローラ２０８２に接続される通信インターフェイス２０３０、ハードディスクドライブ２０４０、及びＣＤ−ＲＯＭドライブ２０６０を有する入出力部と、入出力コントローラ２０８４に接続されるＲＯＭ２０１０、フレキシブルディスク・ドライブ２０５０、及び入出力チップ２０７０を有するレガシー入出力部とを備える。
【００３３】
ホスト・コントローラ２０８２は、ＲＡＭ２０２０と、高い転送レートでＲＡＭ２０２０をアクセスするＣＰＵ２０００及びグラフィック・コントローラ２０７５とを接続する。ＣＰＵ２０００は、ＲＯＭ２０１０及びＲＡＭ２０２０に格納されたプログラムに基づいて動作し、各部の制御を行う。グラフィック・コントローラ２０７５は、ＣＰＵ２０００等がＲＡＭ２０２０内に設けたフレーム・バッファ上に生成する画像データを取得し、表示装置２０８０上に表示させる。これに代えて、グラフィック・コントローラ２０７５は、ＣＰＵ２０００等が生成する画像データを格納するフレーム・バッファを、内部に含んでもよい。
【００３４】
入出力コントローラ２０８４は、ホスト・コントローラ２０８２と、比較的高速な入出力装置である通信インターフェイス２０３０、ハードディスクドライブ２０４０、ＣＤ−ＲＯＭドライブ２０６０を接続する。通信インターフェイス２０３０は、ネットワークを介して他の装置と通信する。ハードディスクドライブ２０４０は、コンピュータ１９００内のＣＰＵ２０００が使用するプログラム及びデータを格納する。ＣＤ−ＲＯＭドライブ２０６０は、ＣＤ−ＲＯＭ２０９５からプログラム又はデータを読み取り、ＲＡＭ２０２０を介してハードディスクドライブ２０４０に提供する。
【００３５】
また、入出力コントローラ２０８４には、ＲＯＭ２０１０と、フレキシブルディスク・ドライブ２０５０、及び入出力チップ２０７０の比較的低速な入出力装置とが接続される。ＲＯＭ２０１０は、コンピュータ１９００が起動時に実行するブート・プログラム、及び／又は、コンピュータ１９００のハードウェアに依存するプログラム等を格納する。フレキシブルディスク・ドライブ２０５０は、フレキシブルディスク２０９０からプログラム又はデータを読み取り、ＲＡＭ２０２０を介してハードディスクドライブ２０４０に提供する。入出力チップ２０７０は、フレキシブルディスク・ドライブ２０５０を入出力コントローラ２０８４へと接続すると共に、例えばパラレル・ポート、シリアル・ポート、キーボード・ポート、マウス・ポート等を介して各種の入出力装置を入出力コントローラ２０８４へと接続する。
【００３６】
ＲＡＭ２０２０を介してハードディスクドライブ２０４０に提供されるプログラムは、フレキシブルディスク２０９０、ＣＤ−ＲＯＭ２０９５、又はＩＣカード等の記録媒体に格納されて利用者によって提供される。プログラムは、記録媒体から読み出され、ＲＡＭ２０２０を介してコンピュータ１９００内のハードディスクドライブ２０４０にインストールされ、ＣＰＵ２０００において実行される。
【００３７】
コンピュータ１９００にインストールされ、コンピュータ１９００を再生装置２０として機能させるプログラムは、記憶モジュールと、指定モジュールと、再生モジュールと、速度調整モジュールと、除去モジュールとを備える。これらのプログラム又はモジュールは、ＣＰＵ２０００等に働きかけて、コンピュータ１９００を、記憶部３２、指定部３４、再生部３６、速度調整部３８および除去部４０としてそれぞれ機能させる。
【００３８】
これらのプログラムに記述された情報処理は、コンピュータ１９００に読込まれることにより、ソフトウェアと上述した各種のハードウェア資源とが協働した具体的手段である記憶部３２、指定部３４、再生部３６、速度調整部３８および除去部４０として機能する。そして、これらの具体的手段によって、本実施形態におけるコンピュータ１９００の使用目的に応じた情報の演算又は加工を実現することにより、使用目的に応じた特有の再生装置２０が構築される。
【００３９】
一例として、コンピュータ１９００と外部の装置等との間で通信を行う場合には、ＣＰＵ２０００は、ＲＡＭ２０２０上にロードされた通信プログラムを実行し、通信プログラムに記述された処理内容に基づいて、通信インターフェイス２０３０に対して通信処理を指示する。通信インターフェイス２０３０は、ＣＰＵ２０００の制御を受けて、ＲＡＭ２０２０、ハードディスクドライブ２０４０、フレキシブルディスク２０９０、又はＣＤ−ＲＯＭ２０９５等の記憶装置上に設けた送信バッファ領域等に記憶された送信データを読み出してネットワークへと送信し、もしくは、ネットワークから受信した受信データを記憶装置上に設けた受信バッファ領域等へと書き込む。このように、通信インターフェイス２０３０は、ＤＭＡ（ダイレクト・メモリ・アクセス）方式により記憶装置との間で送受信データを転送してもよく、これに代えて、ＣＰＵ２０００が転送元の記憶装置又は通信インターフェイス２０３０からデータを読み出し、転送先の通信インターフェイス２０３０又は記憶装置へとデータを書き込むことにより送受信データを転送してもよい。
【００４０】
また、ＣＰＵ２０００は、ハードディスクドライブ２０４０、ＣＤ−ＲＯＭドライブ２０６０（ＣＤ−ＲＯＭ２０９５）、フレキシブルディスク・ドライブ２０５０（フレキシブルディスク２０９０）等の外部記憶装置に格納されたファイルまたはデータベース等の中から、全部または必要な部分をＤＭＡ転送等によりＲＡＭ２０２０へと読み込ませ、ＲＡＭ２０２０上のデータに対して各種の処理を行う。そして、ＣＰＵ２０００は、処理を終えたデータを、ＤＭＡ転送等により外部記憶装置へと書き戻す。このような処理において、ＲＡＭ２０２０は、外部記憶装置の内容を一時的に保持するものとみなせるから、本実施形態においてはＲＡＭ２０２０および外部記憶装置等をメモリ、記憶部、または記憶装置等と総称する。本実施形態における各種のプログラム、データ、テーブル、データベース等の各種の情報は、このような記憶装置上に格納されて、情報処理の対象となる。なお、ＣＰＵ２０００は、ＲＡＭ２０２０の一部をキャッシュメモリに保持し、キャッシュメモリ上で読み書きを行うこともできる。このような形態においても、キャッシュメモリはＲＡＭ２０２０の機能の一部を担うから、本実施形態においては、区別して示す場合を除き、キャッシュメモリもＲＡＭ２０２０、メモリ、及び／又は記憶装置に含まれるものとする。
【００４１】
また、ＣＰＵ２０００は、ＲＡＭ２０２０から読み出したデータに対して、プログラムの命令列により指定された、本実施形態中に記載した各種の演算、情報の加工、条件判断、情報の検索・置換等を含む各種の処理を行い、ＲＡＭ２０２０へと書き戻す。例えば、ＣＰＵ２０００は、条件判断を行う場合においては、本実施形態において示した各種の変数が、他の変数または定数と比較して、大きい、小さい、以上、以下、等しい等の条件を満たすかどうかを判断し、条件が成立した場合（又は不成立であった場合）に、異なる命令列へと分岐し、またはサブルーチンを呼び出す。
【００４２】
また、ＣＰＵ２０００は、記憶装置内のファイルまたはデータベース等に格納された情報を検索することができる。例えば、第１属性の属性値に対し第２属性の属性値がそれぞれ対応付けられた複数のエントリが記憶装置に格納されている場合において、ＣＰＵ２０００は、記憶装置に格納されている複数のエントリの中から第１属性の属性値が指定された条件と一致するエントリを検索し、そのエントリに格納されている第２属性の属性値を読み出すことにより、所定の条件を満たす第１属性に対応付けられた第２属性の属性値を得ることができる。
【００４３】
以上に示したプログラム又はモジュールは、外部の記録媒体に格納されてもよい。記録媒体としては、フレキシブルディスク２０９０、ＣＤ−ＲＯＭ２０９５の他に、ＤＶＤ又はＣＤ等の光学記録媒体、ＭＯ等の光磁気記録媒体、テープ媒体、ＩＣカード等の半導体メモリ等を用いることができる。また、専用通信ネットワーク又はインターネットに接続されたサーバシステムに設けたハードディスク又はＲＡＭ等の記憶装置を記録媒体として使用し、ネットワークを介してプログラムをコンピュータ１９００に提供してもよい。
【００４４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００４６】
１０  再生表示装置、２０  再生装置、３０  表示装置、３２  記憶部、３４  指定部、３６  再生部、３８  速度調整部、４０  除去部、４２  読出部、４４  生成部、１９００  コンピュータ、２０００  ＣＰＵ、２０１０  ＲＯＭ、２０２０  ＲＡＭ、２０３０  通信インターフェイス、２０４０  ハードディスクドライブ、２０５０  フレキシブルディスク・ドライブ、２０６０  ＣＤ−ＲＯＭドライブ、２０７０  入出力チップ、２０７５  グラフィック・コントローラ、２０８０  表示装置、２０８２  ホスト・コントローラ、２０８４  入出力コントローラ、２０９０  フレキシブルディスク、２０９５  ＣＤ−ＲＯＭ
【図１】
2011087019.tif 000003
【図２】
2011087019.tif 000004
【図３】
2011087019.tif 000005
【図４】
2011087019.tif 000006
【図５】
2011087019.tif 000007